(57)【要約】【課題】  空調機の運転スケジュールを設定しなくても、ユーザの生活に合った運転スケジュールで空調機の運転を行うことができる空調制御システム、空調機、空調制御方法及び空調制御プログラムを提供する。【解決手段】  空調制御システム１は、空調機２０を制御する。空調制御システム１は、検出部１１と記憶部１２と決定部１３とを備える。検出部１１は、空調機２０の運転状態を検出する。記憶部１２は、第１関連付け情報１２ａを記憶する。第１関連付け情報１２ａは、空調機２０の運転状態の情報１２１ａ〜１２４ａと時間情報１２５ａ，１２６ａとを関連付けた情報である。決定部１３は、第１関連付け情報１２ａに基づいて、空調機２０の運転スケジュールを決定する。【選択図】      図１
2005241036.tif 000002
【特許請求の範囲】
【請求項１】
空調機（２０，１２０）を制御するための空調制御システム（１，１００）であって、
前記空調機（２０，１２０）の運転状態を検出する検出部（１１）と、
前記空調機（２０，１２０）の前記運転状態の情報と時間情報とを関連付けた情報である第１関連付け情報を記憶する記憶部（１２）と、
前記第１関連付け情報に基づいて、前記空調機（２０，１２０）の運転スケジュールを決定する決定部（１３）と、
を備えた、
空調制御システム（１，１００）。
【請求項２】
前記運転スケジュールに基づいて、前記空調機（２０，１２０）を制御する制御部（１４）をさらに備えた、
請求項１に記載の空調制御システム（１，１００）。
【請求項３】
前記空調機（２０，１２０）の前記運転状態は、前記空調機（２０，１２０）のＯＮ又はＯＦＦの状態、前記空調機（２０，１２０）の運転モード、前記空調機（２０，１２０）が供給する空気の設定温度、前記空調機（２０，１２０）が供給する空気の風量、前記空調機（２０，１２０）の連続運転時間、前記空調機（２０，１２０）の積算運転時間及び前記空調機（２０，１２０）の積算運転回数のうち少なくとも１つである、
請求項１又は２に記載の空調制御システム（１，１００）。
【請求項４】
前記時間情報は、時刻、昼間又は夜間を示す時間帯、曜日、平日又は休日を示す日の第１属性、次の日が平日又は次の日が休日であることを示す日の第２属性及び季節のうち少なくとも１つである、
請求項１から３のいずれかに記載の空調制御システム（１，１００）。
【請求項５】
室内の環境である室内環境を検知する室内環境検知部（１５）をさらに備え、
前記記憶部（１２）は、前記空調機（２０，１２０）の前記運転状態と前記室内環境とを関連付けた情報である第２関連付け情報をさらに記憶し、
前記決定部（１３）は、前記第１関連付け情報と前記第２関連付け情報とに基づき、前記空調機（２０，１２０）の運転スケジュールを決定する、
請求項１から４のいずれかに記載の空調制御システム（１，１００）。
【請求項６】
前記室内環境は、前記室内の温度、前記室内の湿度、前記室内の気圧、前記室内の埃の濃度、前記室内の有害物質濃度及び前記室内のマイナスイオン濃度のうち少なくとも１つである、
請求項５に記載の空調制御システム（１，１００）。
【請求項７】
室外の環境である室外環境を検知する室外環境検知部（１６）をさらに備え、
前記記憶部（１２）は、前記空調機（２０，１２０）の前記運転状態と前記室外環境とを関連付けた情報である第３関連付け情報をさらに記憶し、
前記決定部（１３）は、前記第１関連付け情報と前記第３関連付け情報とに基づき、前記空調機（２０，１２０）の運転スケジュールを決定する、
請求項１から６のいずれかに記載の空調制御システム（１，１００）。
【請求項８】
前記室外環境は、前記室外の温度、前記室外の湿度、前記室外の気圧、前記室外の埃の濃度、前記室外の有害物質濃度及び前記室外のマイナスイオン濃度のうち少なくとも１つである、
請求項７に記載の空調制御システム（１，１００）。
【請求項９】
前記空調機（２０，１２０）の前記運転状態は、少なくとも前記空調機（２０，１２０）のＯＮ又はＯＦＦの状態を含み、
前記決定部（１３）は、前記第１関連付け情報に基づいて、前記空調機（２０，１２０）の運転開始時刻及び前記空調機（２０，１２０）の運転終了時刻の少なくとも１つを決定する、
請求項１から８のいずれかに記載の空調制御システム（１，１００）。
【請求項１０】
前記室内環境は、少なくとも前記室内の温度を含み、
前記空調機（２０，１２０）の前記運転状態は、少なくとも前記空調機（２０，１２０）が供給する空気の前記設定温度をさらに含み、
前記第１関連付け情報と前記第２関連付け情報とに基づき、前記空調機（２０，１２０）の運転が開始されてから前記室内の温度が前記設定温度に到達するまでの時間である設定温度到達時間を演算する演算部（１７）をさらに備え、
前記決定部（１３）は、前記第１関連付け情報と前記第２関連付け情報とに基づき、前記運転開始時刻をさらに前記設定温度到達時間だけ早い時刻に決定する、
請求項９に記載の空調制御システム（１，１００）。
【請求項１１】
前記空調機（２０，１２０）の前記運転スケジュールの変更が入力される入力部（１８）をさらに備えた、
請求項１から１０のいずれかに記載の空調制御システム（１，１００）。
【請求項１２】
制御装置（１０）により制御される空調機（２０，１２０）であって、
運転状態の情報を前記制御装置（１０）に受け渡す受渡部（２１）と、
前記運転状態の情報と時間情報とを関連付けた情報である第１関連付け情報に基づいて前記制御装置（１０）が決定する前記空調機（２０，１２０）の運転スケジュールに基づいて前記制御装置（１０）が生成する制御信号を、前記制御装置（１０）から受け取る受取部（２２）と、
を備えた、
空調機（２０，１２０）。
【請求項１３】
空調機（２０，１２０）が制御されるための空調制御方法であって、
前記空調機（２０，１２０）の運転状態が検出される検出ステップと、
前記空調機（２０，１２０）の前記運転状態の情報と時間情報とが関連付けられた情報である第１関連付け情報が記憶される記憶ステップと、
前記第１関連付け情報に基づいて、前記空調機（２０，１２０）の運転スケジュールが決定される決定ステップと、
を備えた、
空調制御方法。
【請求項１４】
空調機（２０，１２０）を制御装置（１０）に制御させるための空調制御プログラムであって、
前記空調機（２０，１２０）の運転状態が検出される検出ステップと、
前記空調機（２０，１２０）の前記運転状態の情報と時間情報とが関連付けられた情報である第１関連付け情報が記憶される記憶ステップと、
前記第１関連付け情報に基づいて、前記空調機（２０，１２０）の運転スケジュールが決定される決定ステップと、
を備えた、
空調制御プログラム。
【発明の詳細な説明】
【技術分野】
【０００１】
本発明は、空調制御システム、空調機、空調制御方法及び空調制御プログラムに関する。
【背景技術】
【０００２】
従来から、ユーザによる空調機のＯＮ／ＯＦＦ操作回数を低減する技術が提案されている。例えば、在室情報センサ（光センサ、赤外線センサ）により人の在室パターンを学習し、現在の在室状態を推定することにより、空調機の制御を行う技術が提案されている（例えば、特許文献１参照。）。また、人検知手段（光センサ、赤外線センサ）により人の生活シーンを学習し、現在の生活シーンを推定することにより、空調機の制御を行う技術が提案されている（例えば、特許文献２参照。）。
【特許文献１】特許２５７８９７２号（第１−５頁、第１−３図）
【特許文献２】特開平５−１１８６１２（第１−５頁、第１−７図）
【発明の開示】
【発明が解決しようとする課題】
【０００３】
しかし、特許文献１の技術では、在室パターンに基づいて空調機の制御を行うので、ユーザの生活に合わせて制御が行われないおそれがある。例えば、睡眠中は空調を使用しないことが前提となっているが、ユーザによっては空調機のおやすみ運転を行う場合もあり、空調機をつけたまま眠る場合もある。例えば、睡眠中以外の在室時間はずっと空調機を使用することが前提となっているが、ユーザによっては電気代の安くなる時間帯しか使用しない場合もあり、昼間だけ運転する場合もある。そのため、在室パターンに基づいて空調機の制御を行うと、ユーザの生活とかけ離れた運転スケジュールで空調機が運転されるおそれがある。
【０００４】
また、特許文献２の技術では、生活シーンに基づいて空調機の制御を行うので、ユーザの生活に合わせて制御が行われないおそれがある。例えば、生活シーンが「睡眠」であるときに空調を使用しないことが前提となっているが、ユーザによっては空調機のおやすみ運転を行う場合もあり、空調機をつけたまま眠る場合もある。例えば、生活シーンが「活動的家事」のときに空調を使用することが前提となっているが、ユーザによっては「活動的家事」の「掃除」の時に窓を開けるので空調機を使用しない場合もあり、「活動的家事」の「遊び」の時に母親の方針で空調機を子供に使用させない場合もある。そのため、生活シーンに基づいて空調機の制御を行うと、ユーザの生活とかけ離れた運転スケジュールで空調機が運転されるおそれがある。
【０００５】
したがって、本発明の課題は、空調機の運転スケジュールを設定しなくても、ユーザの生活に合った運転スケジュールで空調機の運転を行うことができる空調制御システム、空調機、空調制御方法及び空調制御プログラムを提供することにある。
【課題を解決するための手段】
【０００６】
請求項１に係る空調制御システムは、空調機を制御するための空調制御システムであって、検出部と記憶部と決定部とを備える。検出部は、空調機の運転状態を検出する。記憶部は、第１関連付け情報を記憶する。第１関連付け情報は、空調機の運転状態の情報と時間情報とを関連付けた情報である。決定部は、第１関連付け情報に基づいて、空調機の運転スケジュールを決定する。
【０００７】
この空調制御システムでは、検出部が、空調機の運転状態を検出する。記憶部が、空調機の運転状態の情報を受け取ることができる。記憶部が、時間情報を受け取ることができる。記憶部が、第１関連付け情報を記憶する。決定部が、第１関連付け情報を受け取ることができる。決定部が、第１関連付け情報に基づいて、空調機の運転スケジュールを決定する。
【０００８】
したがって、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
請求項２に係る空調制御システムは、請求項１に記載の空調制御システムであって、制御部をさらに備える。制御部は、運転スケジュールに基づいて、空調機を制御する。
【０００９】
この空調制御システムでは、検出部が、空調機の運転状態を検出する。記憶部が、空調機の運転状態の情報を受け取ることができる。記憶部が、時間情報を受け取ることができる。記憶部が、第１関連付け情報を記憶する。決定部が、第１関連付け情報に基づいて、空調機の運転スケジュールを決定する。制御部が、運転スケジュールの情報を受け取ることができる。制御部が、運転スケジュールに基づいて、空調機を制御する。
【００１０】
したがって、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
請求項３に係る空調制御システムは、請求項１又は２に記載の空調制御システムであって、空調機の運転状態は、空調機のＯＮ又はＯＦＦの状態、空調機の運転モード、空調機が供給する空気の設定温度、空調機が供給する空気の風量、空調機の連続運転時間、空調機の積算運転時間及び空調機の積算運転回数のうち少なくとも１つである。
【００１１】
この空調制御システムでは、検出部が、空調機の運転状態を検出する。空調機の運転状態は、空調機のＯＮ又はＯＦＦの状態、空調機の運転モード、空調機が供給する空気の設定温度、空調機が供給する空気の風量、空調機の連続運転時間、空調機の積算運転時間及び空調機の積算運転回数のうち少なくとも１つである。
したがって、空調機の運転状態を詳細に検出することができる。
【００１２】
請求項４に係る空調制御システムは、請求項１から３のいずれかに記載の空調制御システムであって、時間情報は、時刻、時間帯、曜日、日の第１属性、日の第２属性及び季節のうち少なくとも１つである。時間帯は、昼間又は夜間を示す。日の第１属性は、平日又は休日を示す。日の第２属性は、次の日が平日又は次の日が休日であることを示す。
この空調制御システムでは、記憶部が、第１関連付け情報を記憶する。第１関連付け情報が、空調機の運転状態の情報と時間情報とを関連付けた情報である。時間情報が、時刻、時間帯、曜日、日の第１属性、日の第２属性及び季節のうち少なくとも１つである。
【００１３】
したがって、空調機の運転状態と時間情報とを詳細に関連付けることができる。
請求項５に係る空調制御システムは、請求項１から４のいずれかに記載の空調制御システムであって、室内環境検知部をさらに備える。室内環境検知部は、室内環境を検知する。室内環境は、室内の環境である。記憶部は、第２関連付け情報をさらに記憶する。第２関連付け情報は、空調機の運転状態と室内環境とを関連付けた情報である。決定部は、第１関連付け情報と第２関連付け情報とに基づき、空調機の運転スケジュールを決定する。
【００１４】
この空調制御システムでは、室内環境検知部が、室内環境を検知する。記憶部が、空調機の運転状態の情報を受け取ることができる。記憶部が、時間情報を受け取ることができる。記憶部が、室内環境の情報を受け取ることができる。記憶部が、第１関連付け情報を記憶する。記憶部が、第２関連付け情報をさらに記憶する。決定部が、第１関連付け情報と第２関連付け情報とに基づき、空調機の運転スケジュールを決定する。
【００１５】
したがって、第１関連付け情報と第２関連付け情報とに基づいて空調機の運転スケジュールを決定するので、空調機の運転スケジュールをさらに詳細に決定することができる。また、空調機の運転状態と室内環境とを関連付けることができるので、ユーザの好みに応じて空調機の運転スケジュールを決定することができる。
なお、室内環境は、例えば、室内の温度、室内の湿度、室内の気圧、室内の埃の濃度、室内の有害物質濃度及び室内のマイナスイオン濃度のうち少なくとも１つである。
【００１６】
請求項６に係る空調制御システムは、請求項５に記載の空調制御システムであって、室内環境は、室内の温度、室内の湿度、室内の気圧、室内の埃の濃度、室内の有害物質濃度及び室内のマイナスイオン濃度のうち少なくとも１つである。
この空調制御システムでは、記憶部が、第２関連付け情報をさらに記憶する。第２関連付け情報が、空調機の運転状態と室内環境とを関連付けた情報である。室内環境が、室内の温度、室内の湿度、室内の気圧、室内の埃の濃度、室内の有害物質濃度及び室内のマイナスイオン濃度のうち少なくとも１つである。
【００１７】
したがって、空調機の運転状態と室内環境とを詳細に関連付けることができる。
請求項７に係る空調制御システムは、請求項１から６のいずれかに記載の空調制御システムであって、室外環境検知部をさらに備える。室外環境検知部は、室外環境を検知する。室外環境は、室外の環境である。記憶部は、第３関連付け情報をさらに記憶する。第３関連付け情報は、空調機の運転状態と室外環境とを関連付けた情報である。決定部は、第１関連付け情報と第３関連付け情報とに基づき、空調機の運転スケジュールを決定する。
【００１８】
この空調制御システムでは、室外環境検知部が、室外環境を検知する。記憶部が、空調機の運転状態の情報を受け取ることができる。記憶部が、時間情報を受け取ることができる。記憶部が、室外環境の情報を受け取ることができる。記憶部が、第１関連付け情報を記憶する。記憶部が、第３関連付け情報をさらに記憶する。決定部が、第１関連付け情報と第３関連付け情報とに基づき、空調機の運転スケジュールを決定する。
【００１９】
したがって、第１関連付け情報と第３関連付け情報とに基づいて空調機の運転スケジュールを決定するので、空調機の運転スケジュールをさらに詳細に決定することができる。また、空調機の運転状態と室外環境とを関連付けることができるので、ユーザの好みに応じて空調機の運転スケジュールを決定することができる。
なお、室外環境は、例えば、室外の温度、室外の湿度、室外の気圧、室外の埃の濃度、室外の有害物質濃度及び室外のマイナスイオン濃度のうち少なくとも１つ。
【００２０】
請求項８に係る空調制御システムは、請求項７に記載の空調制御システムであって、室外環境は、室外の温度、室外の湿度、室外の気圧、室外の埃の濃度、室外の有害物質濃度及び室外のマイナスイオン濃度のうち少なくとも１つである。
この空調制御システムでは、記憶部が、第３関連付け情報をさらに記憶する。第３関連付け情報が、空調機の運転状態と室外環境とを関連付けた情報である。室外環境が、室外の温度、室外の湿度、室外の気圧、室外の埃の濃度、室外の有害物質濃度及び室外のマイナスイオン濃度のうち少なくとも１つである。
【００２１】
したがって、空調機の運転状態と室外環境とを詳細に関連付けることができる。
請求項９に係る空調制御システムは、請求項１から８のいずれかに記載の空調制御システムであって、空調機の運転状態は、少なくとも空調機のＯＮ又はＯＦＦの状態を含む。決定部は、第１関連付け情報に基づいて、空調機の運転開始時刻及び空調機の運転終了時刻の少なくとも１つ（以下、運転開始時刻等とする）を決定する。
【００２２】
この空調制御システムでは、記憶部が、第１関連付け情報を記憶する。第１関連付け情報が、空調機の運転状態の情報と時間情報とを関連付けた情報である。空調機の運転状態が、少なくとも空調機のＯＮ又はＯＦＦの状態を含む。決定部が、第１関連付け情報を受け取ることができる。決定部が、第１関連付け情報に基づいて、空調機の運転開始時刻等を決定する。
【００２３】
したがって、第１関連付け情報に基づいて空調機の運転開始時刻等を決定するので、ユーザの生活に合った運転開始時刻等で空調機を制御することができる。このため、空調機の運転開始時刻等を設定しなくても、ユーザの生活に合った運転開始時刻等で空調機の運転を行うことができる。
請求項１０に係る空調制御システムは、請求項９に記載の空調制御システムであって、室内環境は、少なくとも室内の温度を含む。空調機の運転状態は、少なくとも空調機が供給する空気の設定温度をさらに含む。空調制御システムは、演算部をさらに備える。演算部は、第１関連付け情報と第２関連付け情報とに基づき、設定温度到達時間を演算する。設定温度到達時間は、空調機の運転が開始されてから室内の温度が設定温度に到達するまでの時間である。決定部は、第１関連付け情報と第２関連付け情報とに基づき、運転開始時刻をさらに設定温度到達時間だけ早い時刻に決定する。
【００２４】
この空調制御システムでは、記憶部が、第１関連付け情報を記憶する。第１関連付け情報が、空調機の運転状態の情報と時間情報とを関連付けた情報である。空調機の運転状態が、少なくとも空調機のＯＮ又はＯＦＦの状態を含む。空調機の運転状態が、少なくとも空調機が供給する空気の設定温度をさらに含む。記憶部が、第２関連付け情報をさらに記憶する。第２関連付け情報が、空調機の運転状態と室内環境とを関連付けた情報である。室内環境が、少なくとも室内の温度を含む。演算部が、第１関連付け情報と第２関連付け情報とに基づき、設定温度到達時間を演算する。すなわち、空調機が供給する空気の設定温度と、空調機のＯＮの状態の情報と、室内の温度の情報と、時間情報とに基づいて、空調機の運転が開始されてから室内の温度が設定温度に到達するまでの時間である設定温度到達時間を演算することができる。決定部が、第１関連付け情報と第２関連付け情報とを受け取ることができる。決定部が、設定温度到達時間の情報を受け取ることができる。決定部が、第１関連付け情報と第２関連付け情報とに基づき、運転開始時刻をさらに設定温度到達時間だけ早い時刻に決定する。
【００２５】
したがって、運転開始時刻をさらに設定温度到達時間だけ早い時刻に決定するので、運転開始時刻から設定温度到達時間だけ経過した時刻には、室内の温度が設定温度に近い状態にすることができる。このため、ユーザの生活にさらに合った運転スケジュールで空調機の運転を行うことができる。
請求項１１に係る空調制御システムは、請求項１から１０のいずれかに記載の空調制御システムであって、入力部をさらに備える。入力部には、空調機の運転スケジュールの変更が入力される。
【００２６】
この空調制御システムでは、決定部が、第１関連付け情報に基づいて、空調機の運転スケジュールを決定する。入力部に、空調機の運転スケジュールの変更が入力される。これにより、変更後の運転スケジュールで空調機が運転されるようにすることができる。
したがって、空調機の運転スケジュールの変更を入力するので、ユーザの生活パターンが普段の生活パターンとは異なることが予想される際にも、ユーザの生活に合った運転スケジュールで空調機の運転を行うことができる。また、空調機の運転スケジュールを変更するだけで済むので、空調機の運転スケジュールを新たに入力する場合に比べて、入力の負担を低減することができる。
【００２７】
請求項１２に係る空調機は、制御装置により制御される空調機であって、受渡部と受取部とを備える。受渡部は、運転状態の情報を制御装置に受け渡す。受取部は、空調機の運転スケジュールに基づいて制御装置が生成する制御信号を、制御装置から受け取る。空調機の運転スケジュールは、第１関連付け情報に基づいて、制御装置が決定する。第１関連付け情報は、運転状態の情報と時間情報とを関連付けた情報である。
【００２８】
この空調機では、受渡部が、運転状態の情報を制御装置に受け渡す。これにより、制御装置において、運転状態の情報と時間情報とを関連付けた情報である第１関連付け情報に基づいて、空調機の運転スケジュールが決定されるようにすることができる。受取部が、空調機の運転スケジュールに基づいて制御装置が生成する制御信号を、制御装置から受け取る。
【００２９】
したがって、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
請求項１３に係る空調制御方法は、空調機が制御されるための空調制御方法であって、検出ステップと記憶ステップと決定ステップとを備える。検出ステップでは、空調機の運転状態が検出される。記憶ステップでは、第１関連付け情報が記憶される。第１関連付け情報は、空調機の運転状態の情報と時間情報とが関連付けられた情報である。決定ステップでは、第１関連付け情報に基づいて、空調機の運転スケジュールが決定される。
【００３０】
この空調制御方法では、検出ステップにおいて、空調機の運転状態が検出される。記憶ステップにおいて、空調機の運転状態の情報が受け取られ得る。記憶ステップにおいて、時間情報が受け取られ得る。記憶ステップにおいて、第１関連付け情報が記憶される。決定ステップにおいて、第１関連付け情報が受け取られ得る。決定ステップにおいて、第１関連付け情報に基づいて、空調機の運転スケジュールが決定される。
【００３１】
したがって、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
請求項１４に係る空調制御プログラムは、空調機を制御装置に制御させるための空調制御プログラムであって、検出ステップと記憶ステップと決定ステップとを備える。検出ステップでは、空調機の運転状態が検出される。記憶ステップでは、第１関連付け情報が記憶される。第１関連付け情報は、空調機の運転状態の情報と時間情報とが関連付けられた情報である。決定ステップでは、第１関連付け情報に基づいて、空調機の運転スケジュールが決定される。
【００３２】
この空調制御プログラムでは、検出ステップにおいて、空調機の運転状態が検出される。記憶ステップにおいて、空調機の運転状態の情報が受け取られ得る。記憶ステップにおいて、時間情報が受け取られ得る。記憶ステップにおいて、第１関連付け情報が記憶される。決定ステップにおいて、第１関連付け情報が受け取られ得る。決定ステップにおいて、第１関連付け情報に基づいて、空調機の運転スケジュールが決定される。
【００３３】
したがって、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
【発明の効果】
【００３４】
請求項１に係る空調制御システムでは、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
【００３５】
請求項２に係る空調制御システムでは、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
【００３６】
請求項３に係る空調制御システムでは、空調機の運転状態を詳細に検出することができる。
請求項４に係る空調制御システムでは、空調機の運転状態と時間情報とを詳細に関連付けることができる。
請求項５に係る空調制御システムでは、第１関連付け情報と第２関連付け情報とに基づいて空調機の運転スケジュールを決定するので、空調機の運転スケジュールをさらに詳細に決定することができる。また、空調機の運転状態と室内環境とを関連付けることができるので、ユーザの好みに応じて空調機の運転スケジュールを決定することができる。
【００３７】
請求項６に係る空調制御システムでは、空調機の運転状態と室内環境とを詳細に関連付けることができる。
請求項７に係る空調制御システムでは、第１関連付け情報と第３関連付け情報とに基づいて空調機の運転スケジュールを決定するので、空調機の運転スケジュールをさらに詳細に決定することができる。また、空調機の運転状態と室外環境とを関連付けることができるので、ユーザの好みに応じて空調機の運転スケジュールを決定することができる。
【００３８】
請求項８に係る空調制御システムでは、空調機の運転状態と室外環境とを詳細に関連付けることができる。
請求項９に係る空調制御システムでは、第１関連付け情報に基づいて空調機の運転開始時刻等を決定するので、ユーザの生活に合った運転開始時刻等で空調機を制御することができる。このため、空調機の運転開始時刻等を設定しなくても、ユーザの生活に合った運転開始時刻等で空調機の運転を行うことができる。
【００３９】
請求項１０に係る空調制御システムでは、運転開始時刻をさらに設定温度到達時間だけ早い時刻に決定するので、運転開始時刻から設定温度到達時間だけ経過した時刻には、室内の温度が設定温度に近い状態にすることができる。このため、ユーザの生活にさらに合った運転スケジュールで空調機の運転を行うことができる。
請求項１１に係る空調制御システムでは、空調機の運転スケジュールの変更を入力するので、ユーザの生活パターンが普段の生活パターンとは異なることが予想される際にも、ユーザの生活に合った運転スケジュールで空調機の運転を行うことができる。また、空調機の運転スケジュールを変更するだけで済むので、空調機の運転スケジュールを新たに入力する場合に比べて、入力の負担を低減することができる。
【００４０】
請求項１２に係る空調機では、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
【００４１】
請求項１３に係る空調制御方法では、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
【００４２】
請求項１４に係る空調制御プログラムでは、第１関連付け情報に基づいて空調機の運転スケジュールを決定するので、空調機の運転スケジュールを設定しなくても、ユーザの生活に合った運転スケジュールで空調機を制御することができる。このため、空調機の運転スケジュールを設定しなくても、ユーザの生活に合った運転スケジュールで空調機の運転を行うことができる。
【発明を実施するための最良の形態】
【００４３】
［第１実施形態］
本発明の第１実施形態に係る空調制御システム１の構成図を図１に示す。図１に示す空調制御システム１は、主として空調機２０を制御するためのシステムである。
＜空調制御システム１の全体構成＞
図１に示すように、この空調制御システム１は、主として制御装置１０と空調機２０とを備える。制御装置１０は、空調機２０に内蔵されている。
【００４４】
＜制御装置１０の構成＞
図１に示すように、制御装置１０は、主として検出部１１，記憶部１２，決定部１３，制御部１４及びタイマ１９を備える。
検出部１１が、空調機２０の運転状態の情報を空調機２０から受け取り、空調機２０の運転状態を検出する。制御部１４が、空調機２０の運転状態の情報を検出部１１から受け取る。記憶部１２が、空調機の運転状態の情報を制御部１４から受け取る。制御部１４が、タイマ１９から時間情報を受け取る。記憶部１２が、時間情報を制御部１４から受け取る。記憶部１２が、空調機２０の運転状態の情報と時間情報とを関連付けて、第１関連付け情報１２ａとして記憶する。決定部１３が、記憶部１２を参照して、第１関連付け情報１２ａを取得する。決定部１３が、第１関連付け情報１２ａに基づいて、空調機２０の運転スケジュールを決定して、運転スケジュール情報１２ｄとして記憶部１２に記憶させる。制御部１４が、記憶部１２を参照して、運転スケジュール情報１２ｄを受け取る。制御部１４が、運転スケジュール情報１２ｄに基づいて、空調機２０を制御するための信号である制御信号を生成する。
【００４５】
＜空調機２０の構成＞
図１に示すように、空調機２０は、主として制御装置１０，受渡部２１，受取部２２及び環境提供部２３を備える。制御装置１０については、上述の通りである。環境提供部２３は、例えば、室内熱交換器、室外熱交換器、圧縮機、膨張弁などを備えており、室外の空気と熱交換を行うとともに室内の空気とも熱交換を行う。
【００４６】
図１に示す環境提供部２３が、室内に空調環境を提供する。受渡部２１が、運転状態の情報を環境提供部２３から取得し、運転状態の情報を制御装置１０に受け渡す。
受取部２２が、空調機２０の運転スケジュール情報１２ｄに基づいて制御装置１０が生成する制御信号を、制御装置１０から受け取る。受取部２２が、その制御信号を環境提供部２３へ渡す。環境提供部２３は、制御信号に従って、室内に空調環境を提供する。
【００４７】
＜記憶部１２の構成＞
図１に示すように、記憶部１２は、主として第１関連付け情報１２ａ及び運転スケジュール情報１２ｄを備える。
第１関連付け情報１２ａは、図３に示すように、主としてＯＮ／ＯＦＦ状態１２１ａ，運転モード１２２ａ，設定温度１２３ａ，風量１２４ａ，時刻１２５ａ及び曜日１２６ａを備える。ＯＮ／ＯＦＦ状態１２１ａは、空調機２０（図１参照）がＯＮの状態であるかＯＦＦの状態であるかを示す。運転モード１２２ａは、空調機２０（図１参照）の運転モードであり、例えば、冷房、暖房などである。設定温度１２３ａは、空調機２０（図１参照）が供給する空気の設定温度を示す。風量１２４ａは、空調機２０（図１参照）が供給する空気の風量を示す。時刻１２５ａは、空調機２０（図１参照）の運転状態の情報を検出したときの時刻を示す。曜日１２６ａは、空調機２０（図１参照）の運転状態の情報を検出したときの曜日を示す。
【００４８】
運転スケジュール情報１２ｄは、図５に示すように、主としてＯＮ／ＯＦＦ１２１ｄ，運転モード１２２ｄ，設定温度１２３ｄ，風量１２４ｄ，時刻１２５ｄ及び曜日１２６ｄを備える。ＯＮ／ＯＦＦ１２１ｄは、空調機２０（図１参照）をＯＮするのかＯＦＦするのかの動作を示す。運転モード１２２ｄは、空調機２０（図１参照）の運転モードであり、例えば、冷房、暖房などである。設定温度１２３ｄは、空調機２０（図１参照）が供給する空気の設定温度を示す。風量１２４ｄは、空調機２０（図１参照）が供給する空気の風量を示す。時刻１２５ｄは、空調機２０（図１参照）の運転を行うときの時刻を示す。曜日１２６ｄは、空調機２０（図１参照）の運転を行うときの曜日を示す。
【００４９】
＜運転スケジュール情報１２ｄの決定方法＞
図１に示す決定部１３が空調機２０の運転スケジュール情報１２ｄを決定する方法を、図４に示す概念図を用いて説明する。
図４には、過去の同じ曜日の７：００〜９：００において、空調機２０がＯＮ／ＯＦＦされた場合（データＤ１〜Ｄ３）が示されている。例えば、ある月の第１週目の月曜日に７：００にＯＮされ、８：３０にＯＦＦされたとする（データＤ１）。ある月の第２週目の月曜日に７：３０にＯＮされ、８：００にＯＦＦされたとする（データＤ２）。ある月の第３週目の月曜日に７：４０にＯＮされ、９：００にＯＦＦされたとする（データＤ３）。このとき、ある月の第４週目の月曜日の運転スケジュールＳ１において空調機２０（図１参照）がＯＮされる時刻は、７：００（データＤ１）、７：３０（データＤ２）、７：４０（データＤ３）のうち、１番早い時刻である７：００に決定される。ある月の第４週目の月曜日の運転スケジュールＳ１において空調機２０（図１参照）がＯＦＦされる時刻は、８：３０（データＤ１）、８：００（データＤ２）、９：００（データＤ３）の平均である８：３０に決定される。
【００５０】
例えば、データＤ１における運転モードが暖房であり、データＤ２における運転モードが暖房であり、データＤ３における運転モードが暖房である場合を考える。このとき、ある月の第４週目の月曜日の運転スケジュールＳ１における運転モードは、暖房（データＤ１）、暖房（データＤ２）、暖房（データＤ３）のうち、１番多い運転モードである暖房と決定される。
【００５１】
例えば、データＤ１における設定温度が２４℃であり、データＤ２における設定温度が２５℃であり、データＤ３における設定温度が２６℃である場合を考える。このとき、ある月の第４週目の月曜日の運転スケジュールＳ１における設定温度は、２４℃（データＤ１）、２５℃（データＤ２）、２６℃（データＤ３）の平均である２５℃と決定される。
例えば、データＤ１における風量が弱であり、データＤ２における設定温度が中であり、データＤ３における設定温度が強である場合を考える。このとき、ある月の第４週目の月曜日の運転スケジュールＳ１における風量は、弱（データＤ１）、中（データＤ２）、強（データＤ３）の平均である中と決定される。
【００５２】
以上のようにして、ある月の第４週目の月曜日の運転スケジュールＳ１は、図５に示すように決定される。
＜空調制御システム１が空調機２０を制御する処理の流れ＞
図１に示す空調制御システム１が空調機２０を制御する処理の流れを、図２に示すフローチャートを用いて説明する。
【００５３】
図２に示すステップＳ１では、運転状態が検出される。すなわち、図１に示す空調機２０の環境提供部２３により、室内に空調環境が提供される。受渡部２１により、運転状態の情報が環境提供部２３から取得され、運転状態の情報が制御装置１０に受け渡される。制御装置１０の検出部１１により、空調機２０の運転状態の情報が空調機２０から受け取られ、空調機２０の運転状態が検出される。
【００５４】
図２に示すステップＳ２では、第１関連付け情報が記憶される。すなわち、図１に示す制御部１４により、空調機２０の運転状態の情報が検出部１１から受け取られる。記憶部１２により、空調機の運転状態の情報が制御部１４から受け取られる。制御部１４により、タイマ１９から時間情報が受け取られる。記憶部１２により、時間情報が制御部１４から受け取られる。記憶部１２により、空調機２０の運転状態の情報と時間情報とが関連付けられて、第１関連付け情報１２ａとして記憶される。
【００５５】
図２に示すステップＳ３では、運転スケジュールが決定される。すなわち、図１に示す決定部１３により、記憶部１２が参照されて、第１関連付け情報１２ａが取得される。決定部１３により、第１関連付け情報１２ａに基づいて、空調機２０の運転スケジュールが決定される。空調機２０の運転スケジュールは、運転スケジュール情報１２ｄとして記憶部１２に記憶される。
【００５６】
図２に示すステップＳ４では、空調機２０が制御される。すなわち、図１に示す制御部１４により、記憶部１２が参照されて、運転スケジュール情報１２ｄが受け取られる。制御部１４により、運転スケジュール情報１２ｄに基づいて、空調機２０が制御されるための信号である制御信号が生成される。空調機２０の受取部２２により、空調機２０の運転スケジュール情報１２ｄに基づいて制御装置１０により生成された制御信号が、制御装置１０から受け取られる。受取部２２により、その制御信号が環境提供部２３へ渡される。環境提供部２３により、制御信号に従って、室内に空調環境が提供される。
【００５７】
＜空調制御システム１に関する特徴＞
（１）
ここでは、図１に示す検出部１１が、空調機２０の運転状態を検出する。記憶部１２が、空調機２０の運転状態の情報を、制御部１４を経由して検出部１１から受け取る。記憶部１２が、時間情報を、制御部１４を経由してタイマ１９から受け取る。記憶部１２が、第１関連付け情報１２ａを記憶する。ここで、第１関連付け情報１２ａは、空調機２０の運転状態の情報１２１ａ〜１２４ａ（図３参照）と時間情報１２５ａ，１２６ａ（図３参照）とを関連付けた情報である。決定部１３が、第１関連付け情報１２ａに基づいて、空調機２０の運転スケジュールを決定して、運転スケジュール情報１２ｄとして記憶部１２に記憶させる。制御部１４が、運転スケジュール情報１２ｄを記憶部１２から受け取る。制御部１４が、運転スケジュール情報１２ｄに基づいて、空調機２０を制御する。
【００５８】
したがって、第１関連付け情報１２ａに基づいて空調機２０の運転スケジュールを決定するので、空調機２０の運転スケジュールを設定しなくても、ユーザの生活に合った運転スケジュールで空調機２０が制御される。このため、空調機２０の運転スケジュールを設定しなくても、ユーザの生活に合った運転スケジュールで空調機２０の運転が行われる。
（２）
ここでは、図１に示す検出部１１が、空調機２０の運転状態を検出する。空調機２０の運転状態は、空調機２０のＯＮ又はＯＦＦの状態１２１ａ（図３参照）、空調機２０の運転モード１２２ａ（図３参照）、空調機２０が供給する空気の設定温度１２３ａ（図３参照）及び空調機２０が供給する空気の風量１２４ａ（図３参照）である。
【００５９】
したがって、空調機２０の運転状態が詳細に検出される。
（３）
ここでは、図１に示す記憶部１２が、第１関連付け情報１２ａを記憶する。第１関連付け情報１２ａが、空調機２０の運転状態の情報と時間情報とを関連付けた情報である。時間情報が、時刻１２５ａ（図３参照）及び曜日１２６ａ（図３参照）である。
【００６０】
したがって、空調機２０の運転状態１２１ａ〜１２４ａ（図３参照）と時間情報１２５ａ〜１２６ａ（図３参照）とが詳細に関連付けられる。
（４）
ここでは、図１に示す記憶部１２が、第１関連付け情報１２ａを記憶する。第１関連付け情報１２ａが、空調機の運転状態の情報と時間情報とを関連付けた情報である。空調機の運転状態が、空調機のＯＮ又はＯＦＦの状態１２１ａ（図３参照）を含む。決定部１３が、第１関連付け情報１２ａを記憶部１２から受け取る。決定部１３が、第１関連付け情報１２ａに基づいて、空調機２０のＯＮされる時刻である運転開始時刻及びＯＦＦされる時刻である運転終了時刻（以下、運転開始時刻等とする）を決定する。
【００６１】
したがって、第１関連付け情報１２ａに基づいて運転開始時刻等を決定するので、ユーザの生活に合った運転開始時刻等で空調機２０が制御される。このため、空調機２０の運転開始時刻等を設定しなくても、ユーザの生活に合った運転開始時刻等で空調機２０の運転が行われる。
（５）
ここでは、図１に示す空調機２０の受渡部２１が、運転状態の情報を制御装置１０に受け渡す。これにより、制御装置１０において、運転状態の情報と時間情報とを関連付けた情報である第１関連付け情報１２ａに基づいて、空調機２０の運転スケジュールが決定されるようにすることが可能である。受取部２２が、空調機２０の運転スケジュールに基づいて制御装置１０が生成する制御信号を、制御装置１０から受け取る。
【００６２】
したがって、第１関連付け情報１２ａに基づいて空調機２０の運転スケジュールを決定するので、空調機２０の運転スケジュールを設定しなくても、ユーザの生活に合った運転スケジュールで空調機２０が制御される。このため、空調機２０の運転スケジュールを設定しなくても、ユーザの生活に合った運転スケジュールで空調機２０の運転が行われる。
＜第１実施形態の変形例＞
（Ａ）図１に示す検出部１１は、空調機２０の運転状態として、空調機２０の連続運転時間、空調機２０の積算運転時間及び空調機２０の積算運転回数のうち少なくとも１つをさらに検出してもよい。この場合、決定部１３は、空調機２０の経年劣化を考慮して運転スケジュールを決定することができる。
【００６３】
（Ｂ）図１に示す記憶部１２は、時間情報として、時刻、時間帯、曜日、日の第１属性、日の第２属性及び季節のうち少なくとも１つを、制御部１４を経由してタイマ１９から受け取ってもよい。ここで、時間帯は、昼間又は夜間を示す。日の第１属性は、平日又は休日を示す。日の第２属性は、次の日が平日又は次の日が休日であることを示す。この場合、記憶部１２は、空調機の運転状態と時間情報とをさらに詳細に関連付けて記憶することができる。
【００６４】
（Ｃ）図１に示す決定部１３が空調機２０の運転スケジュールを決定する方法は図４に示す通りでなくてもよい。すなわち、図４に示す場合において、ある月の第４週目の月曜日の運転スケジュールＳ１において空調機２０（図１参照）がＯＮされる時刻は、７：００（データＤ１）、７：３０（データＤ２）、７：４０（データＤ３）のうち、１番頻度の高い時刻に決定されてもよい。あるいは、ある月の第４週目の月曜日の運転スケジュールＳ１において空調機２０（図１参照）がＯＮされる時刻は、７：００（データＤ１）、７：３０（データＤ２）、７：４０（データＤ３）の平均である７：２３に決定されてもよい。あるいは、ある月の第４週目の月曜日の運転スケジュールＳ１において空調機２０（図１参照）がＯＮされる時刻は、７：００（データＤ１）、７：３０（データＤ２）、７：４０（データＤ３）のうち、１番遅い時刻である７：４０に決定されてもよい。あるいは、統計的な処理により、度数が上位から所定の割合である値に決められてもよい。
【００６５】
ある月の第４週目の月曜日の運転スケジュールＳ１において空調機２０（図１参照）がＯＦＦされる時刻は、８：３０（データＤ１）、８：００（データＤ２）、９：００（データＤ３）のうち、１番頻度の高い時刻に決定されてもよい。あるいは、ある月の第４週目の月曜日の運転スケジュールＳ１において空調機２０（図１参照）がＯＦＦされる時刻は、８：３０（データＤ１）、８：００（データＤ２）、９：００（データＤ３）のうち、１番遅い時刻である９：００に決定されてもよい。あるいは、ある月の第４週目の月曜日の運転スケジュールＳ１において空調機２０（図１参照）がＯＦＦされる時刻は、８：３０（データＤ１）、８：００（データＤ２）、９：００（データＤ３）のうち、１番早い時刻である８：００に決定されてもよい。あるいは、統計的な処理により、度数が上位から所定の割合である値に決められてもよい。
【００６６】
ある月の第４週目の月曜日の運転スケジュールＳ１における設定温度は、２４℃（データＤ１）、２５℃（データＤ２）、２６℃（データＤ３）のうち、１番頻度の高い温度に決定されてもよい。あるいは、ある月の第４週目の月曜日の運転スケジュールＳ１における設定温度は、２４℃（データＤ１）、２５℃（データＤ２）、２６℃（データＤ３）のうち、１番高い温度である２６℃に決定されてもよい。あるいは、ある月の第４週目の月曜日の運転スケジュールＳ１における設定温度は、２４℃（データＤ１）、２５℃（データＤ２）、２６℃（データＤ３）のうち、１番低い温度である２４℃に決定されてもよい。あるいは、統計的な処理により、度数が上位から所定の割合である値に決められてもよい。
【００６７】
ある月の第４週目の月曜日の運転スケジュールＳ１における風量は、弱（データＤ１）、中（データＤ２）、強（データＤ３）のうち、１番頻度の高い風量に決定されてもよい。あるいは、ある月の第４週目の月曜日の運転スケジュールＳ１における風量は、弱（データＤ１）、中（データＤ２）、強（データＤ３）のうち、１番弱い風量である弱に決定されてもよい。あるいは、ある月の第４週目の月曜日の運転スケジュールＳ１における風量は、弱（データＤ１）、中（データＤ２）、強（データＤ３）のうち、１番強い風量である強に決定されてもよい。あるいは、統計的な処理により、度数が上位から所定の割合である値に決められてもよい。
【００６８】
（Ｄ）図１に示す制御装置１０は、室内環境検知部１５をさらに備えてもよい。この場合、室内環境検知部１５が、室内の環境である室内環境を検知する。記憶部１２が、空調機２０の運転状態の情報を、制御部１４を経由して検出部１１から受け取る。記憶部１２が、室内環境の情報を、制御部１４を経由して室内環境検知部１５から受け取る。記憶部１２が、第２関連付け情報１２ｂを記憶する。ここで、第２関連付け情報１２ｂは、空調機２０の運転状態と室内環境とを関連付けた情報であり、図７に示すような情報である。決定部１３が、第１関連付け情報１２ａと第２関連付け情報１２ｂとに基づき、空調機２０の運転スケジュールを決定する。これらの点で第１実施形態と異なる。
【００６９】
また、空調制御システム１が空調機２０を制御する処理の流れが、図６に示すように第１実施形態と異なる。図６に示すフローチャートにおいて、第１実施形態と同様の処理は同じ番号で示してある。
図６に示すステップＳ１１では、室内環境が検知される。すなわち、図１に示す室内環境検知部１５により、室内の環境である室内環境が検知される。
【００７０】
図６に示すステップＳ１２では、第２関連付け情報１２ｂが記憶される。すなわち、図１に示す記憶部１２により、空調機２０の運転状態の情報が、制御部１４を経由して検出部１１から受け取られる。記憶部１２により、室内環境の情報が、制御部１４を経由して室内環境検知部１５から受け取られる。記憶部１２により、第２関連付け情報１２ｂが記憶される。ここで、第２関連付け情報１２ｂは、空調機２０の運転状態と室内環境とが関連付けられた情報である。第２関連付け情報１２ｂには、図７に示すように、主としてＯＮ／ＯＦＦ状態１２１ｂ，運転モード１２２ｂ，設定温度１２３ｂ，風量１２４ｂ及び室内の温度１２７ｂが備えられている。ＯＮ／ＯＦＦ状態１２１ｂは、空調機２０（図１参照）がＯＮの状態であるかＯＦＦの状態であるかを示す。運転モード１２２ｂは、空調機２０（図１参照）の運転モードであり、例えば、冷房、暖房などである。設定温度１２３ｂは、空調機２０（図１参照）が供給する空気の設定温度を示す。風量１２４ｂは、空調機２０（図１参照）が供給する空気の風量を示す。室内の温度１２７ｂは、空調機２０が空調環境を提供する室内の温度である。
【００７１】
図６に示すステップＳ１３では、運転スケジュールの変更が必要であるか否かが判断される。すなわち、図１に示す決定部１３により、第２関連付け情報１２ｂに基づき、空調機２０の運転スケジュールの変更が必要であるか否かが判断される。例えば、ある月の第４週目の月曜日の運転スケジュールＳ１（図４参照）が図５に示す運転スケジュール情報１２ｄのように決められている場合を考える。図１に示す決定部１３により、記憶部１２の第２関連付け情報１２ｂが参照され、空調機２０が運転モード「暖房」でＯＮされるべき室内の温度が、Ｔ３（図８参照）以下であると決定される。そして、ある月の第４週目の月曜日の４：００に室内環境検知部１５により検知された室内の温度がＴ１（図８参照）であり、ある月の第４週目の月曜日の５：００に室内環境検知部１５により検知された室内の温度がＴ２（図８参照）であるとする。このとき、決定部１３により、室内の温度と時刻との関係について図８に示すグラフ９０が推定され、時刻６：００において室内の温度がＴ３になると判断される。このような場合に、決定部１３により、ある月の第４週目の月曜日の運転スケジュールＳ１（図４参照）の変更が必要であると判断される。
【００７２】
運転スケジュールの変更が必要であると判断された場合、図６に示すステップＳ１４へ進められ、運転スケジュールの変更が必要でないと判断された場合、ステップＳ４へ進められる。
図６に示すステップＳ１４では、運転スケジュールが変更される。すなわち、図１に示す決定部１３により、記憶部１２が参照され、第１関連付け情報１２ａに基づいて決定された運転スケジュール情報１２ｄが取得される。決定部１３により、第２関連付け情報１２ｂに基づいて、運転スケジュール情報１２ｄが変更される。変更後の運転スケジュール情報１２ｄが、記憶部１２に渡され、運転スケジュール情報１２ｄとして記憶される。例えば、上記の場合、空調機２０がＯＮされる時間が７：００から６：００へと変更される。
【００７３】
したがって、第１関連付け情報１２ａと第２関連付け情報１２ｂとに基づいて空調機２０の運転スケジュールを決定するので、空調機２０の運転スケジュールをさらに詳細に決定することができる。また、空調機２０の運転状態と室内環境とを関連付けることができるので、ユーザの好みに応じて空調機２０の運転スケジュールを決定することができる。
（Ｅ）上記変形例（Ｄ）において、図８に示す室内の温度Ｔ３が決められる方法は、空調機２０（図１参照）が過去の同じ曜日にＯＮされた温度を平均して決める方法であってもよい。あるいは、空調機２０（図１参照）が過去の同じ曜日にＯＮされた温度のうち、１番頻度の高い温度に決められる方法であってもよい。あるいは、空調機２０（図１参照）が過去の同じ曜日にＯＮされた温度のうち、１番高い温度に決められる方法であってもよい。あるいは、空調機２０（図１参照）が過去の同じ曜日にＯＮされた温度のうち、１番低い温度に決められる方法であってもよい。あるいは、統計的な処理により、度数が上位から所定の割合である値に決められてもよい。
【００７４】
上記変形例（Ｄ）において、図１に示す室内環境検知部１５が検知するのは、室内の温度、室内の湿度、室内の気圧、室内の埃の濃度、室内の有害物質濃度及び室内のマイナスイオン濃度のうち少なくとも１つであってもよい。この場合、空調機の運転状態と室内環境とを詳細に関連付けることができる。
（Ｆ）図１に示す制御装置１０は、室外環境検知部１６をさらに備えてもよい。この場合、室外環境検知部１６が、室外の環境である室外環境を検知する。記憶部１２が、空調機２０の運転状態の情報を、制御部１４を経由して検出部１１から受け取る。記憶部１２が、室外環境の情報を、制御部１４を経由して室外環境検知部１６から受け取る。記憶部１２が、第３関連付け情報１２ｃを記憶する。ここで、第３関連付け情報１２ｃは、空調機２０の運転状態と室外環境とを関連付けた情報であり、図１１に示すような情報である。図１に示す決定部１３が、第１関連付け情報１２ａと第３関連付け情報１２ｃとに基づき、空調機２０の運転スケジュールを決定する。これらの点で第１実施形態と異なる。
【００７５】
また、図１に示す空調制御システム１が空調機２０を制御する処理の流れが、図９，図１０に示すように第１実施形態と異なる。図９に示すフローチャートにおいて、第１実施形態や変形例（Ｄ）と同様の処理は同じ番号で示してある。
図９に示すステップＳ２１では、室外環境が検知される。すなわち、図１に示す室外環境検知部１６により、室外の環境である室外環境が検知される。
【００７６】
図９に示すステップＳ２２では、第３関連付け情報１２ｃが記憶される。すなわち、図１に示す記憶部１２により、空調機２０の運転状態の情報が、制御部１４を経由して検出部１１から受け取られる。記憶部１２により、室外環境の情報が、制御部１４を経由して室外環境検知部１６から受け取られる。記憶部１２により、第３関連付け情報１２ｃが記憶される。ここで、第３関連付け情報１２ｃは、空調機２０の運転状態と室外環境とが関連付けられた情報である。第３関連付け情報１２ｃには、図１１に示すように、主としてＯＮ／ＯＦＦ状態１２１ｃ，運転モード１２２ｃ，設定温度１２３ｃ，風量１２４ｃ及び室外の温度１２８ｃが備えられている。ＯＮ／ＯＦＦ状態１２１ｃは、空調機２０（図１参照）がＯＮの状態であるかＯＦＦの状態であるかを示す。運転モード１２２ｃは、空調機２０（図１参照）の運転モードであり、例えば、冷房、暖房などである。設定温度１２３ｃは、空調機２０（図１参照）が供給する空気の設定温度を示す。風量１２４ｃは、空調機２０（図１参照）が供給する空気の風量を示す。室外の温度１２８ｃは、空調機２０が空調環境を提供する部屋の室外の温度である。
【００７７】
図１０に示すステップＳ２３では、運転スケジュールの変更が必要であるか否かが判断される。すなわち、図１に示す決定部１３により、第２関連付け情報１２ｂと第３関連付け情報１２ｃとに基づき、空調機２０の運転スケジュールの変更が必要であるか否かが判断される。例えば、ある月の第４週目の月曜日の運転スケジュールＳ１（図４参照）が図５に示す運転スケジュール情報１２ｄのように決められている場合を考える。
【００７８】
決定部１３により、記憶部１２の第２関連付け情報１２ｂが参照され、空調機２０が運転モード「暖房」でＯＮされるべき室内の温度が、Ｔ３（図８参照）以下であると決定される。決定部１３により、記憶部１２の第２関連付け情報１２ｂが参照され、空調機２０が運転モード「暖房」でＯＮされるべき室外の温度が、Ｔ４（図示せず）以下であると決定される。
【００７９】
そして、ある月の第４週目の月曜日の４：００に室内環境検知部１５（図１参照）により検知された室内の温度がＴ１（図８参照）であり、ある月の第４週目の月曜日の５：００に室内環境検知部１５により検知された室内の温度がＴ２（図８参照）であるとする。このとき、決定部１３（図１参照）により、室内の温度と時刻との関係について図８に示すグラフ９０が推定され、時刻６：００において室内の温度がＴ３になると判断される。
【００８０】
また、ある月の第４週目の月曜日の４：００に室外環境検知部１６（図１参照）により検知された室外の温度がＴ４（図１３参照）であり、ある月の第４週目の月曜日の５：００に室内環境検知部１５により検知された室内の温度がＴ５（図１３参照）であるとする。このとき、決定部１３（図１参照）により、室外の温度と時刻との関係について図１３に示すグラフ９１が推定され、時刻６：００において室外の温度がＴ６になると判断される。
【００８１】
室内の温度がＴ３になると同時に室外の温度がＴ６になるような場合に、決定部１３（図１参照）により、ある月の第４週目の月曜日の運転スケジュールＳ１（図４参照）の変更が必要であると判断される。
運転スケジュールの変更が必要であると判断された場合、ステップＳ２４へ進められ、運転スケジュールの変更が必要でないと判断された場合、ステップＳ４へ進められる。
【００８２】
図１０に示すステップＳ２４では、運転スケジュールが変更される。すなわち、図１に示す決定部１３により、記憶部１２が参照され、第１関連付け情報１２ａに基づいて決定された運転スケジュール情報１２ｄが取得される。決定部１３により、第２関連付け情報１２ｂと第３関連付け情報１２ｃとに基づいて、運転スケジュール情報１２ｄが変更される。変更後の運転スケジュール情報１２ｄが、記憶部１２に渡され、運転スケジュール情報１２ｄとして記憶される。例えば、上記の場合、空調機２０がＯＮされる時間が７：００から６：００へと変更される。
【００８３】
したがって、図１に示す第１関連付け情報１２ａと第３関連付け情報１２ｃとに基づいて空調機２０の運転スケジュールを決定するので、空調機２０の運転スケジュールをさらに詳細に決定することができる。また、空調機２０の運転状態と室外環境とを関連付けることができるので、ユーザの好みに応じて空調機の運転スケジュールを決定することができる。
【００８４】
（Ｇ）上記変形例（Ｆ）において、図８に示す室外の温度Ｔ４が決められる方法は、空調機２０（図１参照）が過去の同じ曜日にＯＮされた温度を平均して決める方法であってもよい。あるいは、空調機２０（図１参照）が過去の同じ曜日にＯＮされた温度のうち、１番頻度の高い温度に決められる方法であってもよい。あるいは、空調機２０（図１参照）が過去の同じ曜日にＯＮされた温度のうち、１番高い温度に決められる方法であってもよい。あるいは、空調機２０（図１参照）が過去の同じ曜日にＯＮされた温度のうち、１番低い温度に決められる方法であってもよい。あるいは、統計的な処理により、度数が上位から所定の割合である値に決められてもよい。例えば、図１２に示すように、ＯＮの運転指令が行われた回数と室外の温度との関係を示すグラフ８０において、グラフ８０の積分値が上位から所定の割合である温度Ｔ１０として決められてもよい。
【００８５】
上記変形例（Ｆ）の図１０に示すステップＳ２３において、上記の場合、室内の温度が（図８参照）以下であることと、室外の温度がＴ４（図示せず）以下であることと、が同時に満たされた場合だけでなく、いずれか一方が満たされた場合に、空調機２０（図１参照）の運転スケジュールの変更が必要であると判断されてもよい。あるいは、室内の温度と室外の温度との温度差に基づいて、空調機２０（図１参照）の運転スケジュールの変更が必要であると判断されてもよい。あるいは、それらの組み合わせに基づいて、空調機２０（図１参照）の運転スケジュールの変更が必要であると判断されてもよい。
【００８６】
上記変形例（Ｆ）の図１０に示すステップＳ２３，Ｓ２４において、図１に示す第２関連付け情報１２ｂが参照されなくてもよい。すなわち、第２関連付け情報１２ｂに基づかずに、空調機２０の運転スケジュールが決定されてもよい。
上記変形例（Ｆ）において、図１に示す室外環境検知部１６が検知するのは、室外の温度、室外の湿度、室外の気圧、室外の埃の濃度、室外の有害物質濃度及び室外のマイナスイオン濃度のうち少なくとも１つであってもよい。この場合、空調機２０の運転状態と室外環境とを詳細に関連付けることができる。
【００８７】
（Ｈ）図１に示す制御装置１０は、演算部１７をさらに備えてもよい。この場合、記憶部１２が、第１関連付け情報１２ａを記憶する。第１関連付け情報１２ａが、空調機２０の運転状態の情報と時間情報とを関連付けた情報である。空調機２０の運転状態が、空調機２０のＯＮ／ＯＦＦ状態１２１ａ（図３参照）と、空調機２０が供給する空気の設定温度１２３ａ（図３参照）と、を含む。記憶部１２が、第２関連付け情報１２ｂをさらに記憶する。第２関連付け情報１２ｂが、空調機２０の運転状態と室内環境とを関連付けた情報である。室内環境が、室内の温度１２７ｂ（図７参照）を含む。演算部１７が、第１関連付け情報１２ａと第２関連付け情報１２ｂとに基づき、設定温度到達時間を演算する。ここで、設定温度到達時間とは、空調機の運転が開始されてから室内の温度が設定温度に到達するまでの時間である。例えば、図１４に示すように、設定温度がＴ２１である場合、設定温度の８０％の温度である０．８Ｔ２１に室内の温度が達するまでの時間ｔ２２が、設定温度到達時間である。
【００８８】
すなわち、図１に示す空調機２０が供給する空気の設定温度１２３ａ（図３参照）と、空調機２０のＯＮの状態１２１ａ（図３参照）と、室内の温度１２７ｂ（図７参照）と、時刻１２５ａ（図３参照）と、に基づいて、設定温度到達時間を演算する。演算部１７が、設定温度到達時間の情報を記憶部１２へ渡し、設定温度到達時間情報１２ｅとして記憶させる。決定部１３が、第１関連付け情報１２ａと第２関連付け情報１２ｂとを記憶部１２から受け取る。決定部１３が、設定温度到達時間情報１２ｅを記憶部１２から受け取る。決定部１３が、第１関連付け情報１２ａと第２関連付け情報１２ｂとに基づき、運転開始時刻をさらに設定温度到達時間だけ早い時刻に決定する。例えば、ある月の第４週目の月曜日の運転スケジュールＳ１が図５に示すような場合、図１４に示す設定温度到達時間情報１２ｅに基づき、ある月の第４週目の月曜日の運転開始時刻が、７：００よりもｔ２２だけ早い時刻に決定される。
【００８９】
したがって、運転開始時刻をさらに設定温度到達時間だけ早い時刻に決定するので、運転開始時刻から設定温度到達時間だけ経過した時刻には、室内の温度が設定温度に近い状態にすることができる。このため、ユーザの生活にさらに合った運転スケジュールで空調機２０の運転を行うことができる。
（Ｉ）図１に示す制御装置１０は、入力部１８をさらに備えてもよい。この場合、決定部１３が、第１関連付け情報１２ａに基づいて、空調機２０の運転スケジュールを決定し、記憶部１２へ記憶させる。入力部１８に、空調機２０の運転スケジュールの変更が入力される。制御部１４が、運転スケジュール情報１２ｄを記憶部１２から受け取り、入力部１８に入力された情報に基づき運転スケジュール情報１２ｄを変更する。制御部１４が、変更後の運転スケジュール情報１２ｄを記憶部１２へ記憶させる。これにより、変更後の運転スケジュールで空調機２０が運転されるようにすることができる。
【００９０】
したがって、空調機２０の運転スケジュールの変更を入力するので、ユーザの生活パターンが普段の生活パターンとは異なることが予想される際にも、ユーザの生活に合った運転スケジュールで空調機２０の運転を行うことができる。また、空調機２０の運転スケジュールを変更するだけで済むので、空調機２０の運転スケジュールを新たに入力する場合に比べて、入力の負担を低減することができる。
【００９１】
［第２実施形態］
本発明の第２実施形態に係る空調制御システム１００を図１５に示す。図１５において、図１の空調制御システム１の構成要素と同様の構成要素は同じ番号で示してある。図１５に示す空調制御システム１００は、主として空調機１２０を制御するためのシステムである。
【００９２】
この空調制御システム１００は、図１５に示すように、基本的な構造は第１実施形態と同様であるが、制御装置１０が空調機１２０の外部に備えられている点で第１実施形態と異なる。
第１関連付け情報１２ａに基づいて空調機１２０の運転スケジュールを決定するので、空調機１２０の運転スケジュールを設定しなくても、ユーザの生活に合った運転スケジュールで空調機１２０が制御される点は第１実施形態と同様である。したがって、このような空調制御システム１００によっても、空調機１２０の運転スケジュールを設定せずに、ユーザの生活に合った運転スケジュールで空調機１２０の運転が行われる。
【産業上の利用可能性】
【００９３】
本発明にかかる空調制御システム、空調機、空調制御方法及び空調制御プログラムは、空調機の運転スケジュールを設定しなくても、ユーザの生活に合った運転スケジュールで空調機の運転を行うことができるという効果を有し、空調制御システム、空調機、空調制御方法及び空調制御プログラム等として有用である。
【図面の簡単な説明】
【００９４】
【図１】本発明の第１実施形態による空調制御システムの構成図。
【図２】空調制御システムが空調機を制御する処理の流れを示すフローチャート。
【図３】第１関連付け情報の構成を示す概念図。
【図４】運転スケジュールの決定方法を示す概念図。
【図５】運転スケジュールの構成を示す概念図。
【図６】空調制御システムが空調機を制御する処理の流れを示すフローチャート。
【図７】第２関連付け情報の構成を示す概念図。
【図８】運転スケジュールの決定方法を示す概念図。
【図９】空調制御システムが空調機を制御する処理の流れを示すフローチャート。
【図１０】空調制御システムが空調機を制御する処理の流れを示すフローチャート。
【図１１】第３関連付け情報の構成を示す概念図。
【図１２】運転スケジュールの決定方法を示す概念図。
【図１３】運転スケジュールの決定方法を示す概念図。
【図１４】運転スケジュールの決定方法を示す概念図。
【図１５】本発明の第１実施形態による空調制御システムの構成図。
【符号の説明】
【００９５】
１，１００  空調制御システム
１０  制御装置
２０，１２０  空調機
【図１】
2005241036.tif 000003
【図２】
2005241036.tif 000004
【図３】
2005241036.tif 000005
【図４】
2005241036.tif 000006
【図５】
2005241036.tif 000007
【図６】
2005241036.tif 000008
【図７】
2005241036.tif 000009
【図８】
2005241036.tif 000010
【図９】
2005241036.tif 000011
【図１０】
2005241036.tif 000012
【図１１】
2005241036.tif 000013
【図１２】
2005241036.tif 000014
【図１３】
2005241036.tif 000015
【図１４】
2005241036.tif 000016
【図１５】
2005241036.tif 000017